(57)【要約】      （修正有）【課題】住宅に設置されるカラーテレビドアホン装置に係わり、玄関子機のカメラで撮像される映像信号のホワイトバランスを行うカラーテレビドアホン装置。【解決手段】来訪者を撮像するカメラを備えた玄関子機と、カメラで撮像された映像を出力するモニタを備えた居室親機で構成されたカラーテレビドアホン装置において、玄関子機には、カメラで撮像した映像信号から光源光の色温度を検出する光源光色温度検出部と、光源光色温度検出部にて算出された光源光色温度信号を送出制御する子機ＣＰＵと、居室親機には、光源光色温度信号を元にして、カメラで撮像した白色を忠実に再現させる為にモニタ固有の白色補正係数を算出する色補正算出部と、白色補正係数を映像信号からデコードされたＲＧＢ原色信号に乗算することによって、カメラで撮像した映像を忠実に再現させる映像処理部を備えた。【選択図】図１
2011049796.tif 000002
【特許請求の範囲】
【請求項１】
来訪者を撮像するカメラ（１０１）を備えた玄関子機（１）と、前記カメラで撮像された映像を出力するモニタ（２０１）を備えた居室親機（２）で構成されたカラーテレビドアホン装置において、
前記玄関子機には、前記カメラで撮像した映像信号から光源光の色温度を検出する光源光色温度検出部（１０２）と、前記光源光色温度検出部にて算出された光源光色温度信号を送出制御する子機ＣＰＵ（１０５）と、
前記居室親機には、前記光源光色温度信号を元にして、前記カメラで撮像した白色を忠実に再現させる為にモニタ固有の白色補正係数を算出する色補正算出部（２０２）と、前記白色補正係数を前記映像信号からデコードされたＲＧＢ原色信号に乗算することによって、前記カメラで撮像した映像を忠実に再現させる映像処理部（２０３）を備えたことを特徴とするカラーテレビドアホン装置。
【発明の詳細な説明】
【技術分野】
【０００１】
本発明は、住宅に設置されるカラーテレビドアホン装置に係わり、玄関子機のカメラで撮像される映像信号のホワイトバランスを行うカラーテレビドアホン装置に関する。
【背景技術】
【０００２】
通常のビデオカメラのホワイトバランスは、その検出範囲及び制御範囲が太陽光や電球・蛍光灯下での被写体の撮影に適合するように調整されており、調整時にはこれら太陽光や電球・蛍光灯に近似した基準照明光が用いられている。このホワイトバランス調整により、これらの基準照明光下で得られる白色が決定されるようになる。
【先行技術文献】
【特許文献】
【０００３】
【特許文献１】特開平０８−２３７６７３
【発明の開示】
【発明が解決しようとする課題】
【０００４】
しかしながら、上記のホワイトバランス調整方法をインターホンに用いた場合、玄関子機のカメラで撮像した状況が朝、夕方であっても基準照明光で撮像された映像として表示されていた。従って、居室親機のモニタに出力される映像は、朝でも夕方でも同じような色合いになってしまい、忠実に再現することができかった。
【０００５】
本発明はこのような問題点に鑑み、玄関子機のカメラで被写体を照射している光源の色温度を算出し、居室親機のモニタで光源色を再現し被写体を表示させることができるため、良好な視認性を確保することができるカラーテレビドアホン装置を提供することを目的としている。
【課題を解決するための手段】
【０００６】
上記課題を解決するために、請求項１に記載の発明は、来訪者を撮像するカメラを備えた玄関子機と、カメラで撮像された映像を出力するモニタを備えた居室親機で構成されたカラーテレビドアホン装置において、  玄関子機には、カメラで撮像した映像信号から光源光の色温度を検出する光源光色温度検出部と、光源光色温度検出部にて算出された光源光色温度信号を送出制御する子機ＣＰＵと、居室親機には、光源光色温度信号を元にして、カメラで撮像した白色を忠実に再現させる為にモニタ固有の白色補正係数を算出する色補正算出部と、白色補正係数を映像信号からデコードされたＲＧＢ原色信号に乗算することによって、カメラで撮像した映像を忠実に再現させる映像処理部を備えたことを特徴とする。
【発明の効果】
【０００７】
請求項１の発明によれば、玄関子機のカメラで撮像した映像を居室親機のモニタにて忠実に映像を再現することができる。
【図面の簡単な説明】
【０００８】
【図１】本発明に係る実施形態であるカラーテレビドアホン装置のブロック図である。
【発明を実施するための形態】
【０００９】
以下、本発明によるインターホン装置を適用した好ましい形態の実施例について、図を参照して説明する。図１は本発明のブロック図であり、居室の玄関に設置され、居住者を呼び出すための玄関子機１と、玄関子機１からの呼び出しに応答するための居室親機２で構成されている。
玄関子機１は、玄関先の映像を撮像するためのカメラ１０１と、カメラ１０１で撮像した映像信号から光源光の色温度を検出する光源光色温度検出部１０２と、当該光源光色温度検出部にて算出された光源光色温度信号を送出制御すると共に玄関子機１を制御する子機ＣＰＵ１０５と、来訪者が居住者を呼び出すための呼出ボタン１０３と、居住者と通話するための子機音響部１０４と、子機Ｉ／Ｆ１０６で構成されている。
居室親機２は、玄関子機１から伝送されてきた光源光色温度信号を元にして、カメラ１０１で撮像した白色を忠実に再現させる為にモニタ固有の白色補正係数を算出する色補正算出部２０２と、白色補正係数を前記映像信号からデコードされたＲＧＢ原色信号に乗算することによって、カメラ１０１で撮像した映像を忠実に再現させる映像処理部２０３と、映像処理部２０３からの映像信号を出力するモニタ２０１と、来訪者から呼び出されたとき応答／通話するための通話ボタン２０４と、来訪者と通話す売るための親機音響部２０５と、居室親機２を制御する親機ＣＰＵ２０６と、親機Ｉ／Ｆ２０７で構成されている。
【００１０】
このようなカラーテレビドアホン装置において動作説明を行う。尚、玄関子機１からの呼び出し、及び呼び出しに対する居室親機２からの応答動作の説明は本発明の要部ではないので省略し、映像信号を処理する動作の説明を行う。
まず、来訪者が玄関子機１の呼出ボタン１０４を押下し、子機ＣＰＵ１０５からカメラ１０１の能動制御を行う。すると、カメラ１０１で撮像された映像信号が子機Ｉ／Ｆ１０６、親機Ｉ／Ｆ２０７を介して２０３に送信される。このとき、光源光検出部１０２では、カメラ１０１からの測光結果から求められる光源光色温度信号を子機ＣＰＵ１０５、子機Ｉ／Ｆ１０６、親機Ｉ／Ｆ２０７を介して色補正算出部２０２に送信される。例えば、カメラ１０１で撮像した時が朝の場合には光源光色検出部１０２からは９５００Ｋ、カメラ１０１で撮像した時が夕方の場合には光源光色検出部１０２からは２５００Ｋといった光源光色温度信号が送信される。色補正算出部２０２では、モニタ固有の白色光の色温度も加味しつつ、受信した光源光色温度信号を元にして白色補正係数（赤補正係数、緑補正係数、青補正係数）を算出する。例えば、光源光色温度信号が９５００Ｋであった場合、赤補正係数を０．９５、緑補正係数を１．００、青補正係数を１．０５とし、光源光色温度信号が２５００Ｋであった場合、赤補正係数を１．０５、緑補正係数を１．００、青補正係数を０．９５とする。その後、映像処理部２０３では、受信された映像信号を赤、緑、青の原色信号にデコードすると共に、色補正算出部２０２で算出された白色補正係数を乗算して、モニタ２０１に映像を出力することができる。
【００１１】
従って、カメラカメラで撮像した映像を、より人の目で見た際の結果に近しい形で表示を行い、良好な視認性を確保することができる。また朝、夕方の光源色の色温度は異なっている場合でも、設置環境に応じてディスプレイ部の制御を行う事で、良好な視認性の確保することができる。
【符号の説明】
【００１２】
１・・・      玄関子機
１０１・・・  カメラ
１０２・・・  光源光色温度検出部
１０５・・・  子機ＣＰＵ
２・・・      居室親機
２０１・・・ モニタ
２０２・・・ 色補正算出部
２０３・・・ 映像処理部
【図１】
2011049796.tif 000003